(57)【特許請求の範囲】
【請求項１】
本体部と、該本体部の底面の少なくとも一部に被さる底面部とを有し、
前記底面部は、前記本体部の底面に対して開閉可能に取り付けられ、
前記底面部が開いているとき、前記本体部の内部で発生した熱の少なくとも一部が、前記底面部の後方に行くほど前記本体部と前記底面部との間の距離が大きくなるように形成された空間を介して放熱されるとともに、前記本体部の少なくとも一部が前記底面部により支持されることを特徴とする情報処理装置の冷却構造。
【請求項２】
底面を有する本体部と、底面部とを有し、
前記底面部は、前記底面に対して開閉可能に取り付けられ、
前記底面部が開くと、前記底面部の後方に行くほど前記底面と前記底面部との間の距離が大きくなるように空間が形成され、前記本体部の内部で発生した熱の少なくとも一部が前記空間を介して外部に放熱されるとともに、前記本体部の少なくとも一部が前記底面部により支持されることを特徴とする情報処理装置。
【請求項３】
前記底面部を開かれた状態に保つ保持手段を有することを特徴とする請求項２記載の情報処理装置。
【請求項４】
前記本体部の前記底面の背面側で前記底面部が開くことを特徴とする請求項２又は３記載の情報処理装置。
【請求項５】
前記本体部がキーボードを有することを特徴とする請求項４記載の情報処理装置。
【請求項６】
前記本体部にヒンジを介して回動可能に取り付けられた表示部を含むことを特徴とする請求項５記載の情報処理装置。
【請求項７】
電子部品を内蔵するとともに底面を有する本体部と、
この本体部の前記底面側に位置し、第１の位置と前記第１の位置よりも前記本体部の前記底面から離れた第２の位置とに設定可能な底面部とを有し、
前記底面部が前記第１の位置に設定されているときに、前記底面部が前記底面の下方に形成される空間を覆い、
前記底面部を前記第２の位置に設定したときに、前記底面部の後方に行くほど前記本体部と前記底面部との間の距離が大きくなるように空間が形成され、この空間を介して前記本体部の前記電子部品が発生する熱の少なくとも一部が外部に放出されるとともに、前記本体部の少なくとも一部が前記底面部により支持されることを特徴とする情報処理装置。
【請求項８】
前記底面部を前記第２の位置に設定することにより前記本体部が傾斜することを特徴とする請求項７記載の情報処理装置。
【請求項９】
前記本体部がキーボードを有することを特徴とする請求項８記載の情報処理装置。
【請求項１０】
前記底面部が前記本体部に対し回動可能に取り付けられ、前記底面部が前記第１の位置と前記第２の位置との間を回動して移動することを特徴とする請求項７記載の情報処理装置。
【請求項１１】
前記底面部がヒンジを介して前記本体部に取り付けられていることを特徴とする請求項１０記載の情報処理装置。
【請求項１２】
前記本体部にヒンジを介して回動可能に取り付けられた表示部を含むことを特徴とする請求項７記載の情報処理装置。
【請求項１３】
前記底面部と前記本体部との間に、前記底面部を前記第２の位置に保持するための支持部を含むことを特徴とする請求項７記載の情報処理装置。
【請求項１４】
電子部品を内蔵するとともに底面とを有する本体部と、該本体部の前記底面側に位置する底面部とを有し、
前記底面部を、該底面部が前記本体部の前記底面の下方に形成される空間を覆う第１の状態と、前記底面と前記底面部との間の距離が前記底面部の後方に行くほど大きくなるように形成される空間が前記第１の状態における前記空間よりも広くなる第２の状態とに保持可能であるとともに、
前記底面部が前記第２の状態に保持されているときに、前記本体部の少なくとも一部が前記底面部により支持されることを特徴とする情報処理装置。
【請求項１５】
前記底面部が前記第２の状態にあるとき、前記本体部が傾斜することを特徴とする請求項１４記載の情報処理装置。
【請求項１６】
前記底面部は前記本体部の一部を支点として該本体部の底面に対して回動可能であることを特徴とする請求項１５記載の情報処理装置。
【請求項１７】
前記本体部がキーボードを有することを特徴とする請求項１５記載の情報処理装置。
【請求項１８】
前記本体部にヒンジを介して回動可能に取り付けられた表示部を含むことを特徴とする請求項１７記載の情報処理装置。
【発明の詳細な説明】
【０００１】
【発明の属する技術分野】
本発明は、装置の本体部と表示部とがヒンジ部を介して回転可能に取り付けられた携帯型情報処理装置の冷却構造に関し、特に、本体部の底面側を開閉可能に構成することにより、本体部内の冷却を効率的に行なうとともに、本体部を任意の角度に傾斜させることができる携帯型情報処理装置の冷却構造に関する。
【０００２】
【従来の技術】
ノート型パーソナルコンピュータ等、装置の本体部と表示部とがヒンジ部を介して回転可能に取り付けられた携帯型情報処理装置では、本体部に主要な電子部品が搭載されており、この電子部品から発生する熱を、本体部内から効率良く放熱することが必要となる。
【０００３】
ところが、近年は、携帯型情報処理装置の高性能化が進み、本体部に内蔵されている電子部品から発生する熱量が増大しているため、これを効率良く冷却することが困難になってきている。特に、ノート型，ラップトップ型の携帯型情報処理装置では、発熱体が本体部に集中して内蔵されており、携帯型情報処理装置を机などの上に設置すると、本体底面部から熱が逃げ難くなるため、本体部底面の温度が上昇してしまう。
【０００４】
ここで、デスクトップ型の比較的大型のパーソナルコンピュータ等では、自然対流による冷却だけでは不十分であることから、ファン等を使用した強制対流による冷却手段が採られている。しかしながら、ラップトップ型，ノート型等、折り畳み式の携帯型情報処理装置においては、冷却ファンの騒音やバッテリの持続時間、メンテナスンスの必要性等の問題があることから、このような冷却ファンを用いないファンレス冷却による方法が望まれている。
【０００５】
一方、このような携帯型情報処理装置では、キーボードが本体部の上面に水平に設置されているため、使用者がキーを操作し難いという別の問題もあった。
【０００６】
そこで、これまで、冷却ファンを用いることなく携帯型情報処理装置の放熱を行なえるようにしたものや、キーボードが傾く構造、あるいは、本体部の後部に足を取り付けて本体が傾く構造の携帯型情報処理装置が提案されている。
【０００７】
例えば、特開平６−３１８１２４号公報には、図７（ａ），（ｂ）に示すように、装置の本体部１０１と表示部１０２とがヒンジを介して回転可能に取り付けられた携帯型の電子装置において、本体部１０１内で高発熱素子を一箇所に集中させ、かつ、これら高発熱素子をヒートシンク１０３に接続させ、ヒートシンク１０３の上方に開口した排気口１０４から放熱を行なう電子装置が提案されている。
【０００８】
このような電子装置によれば、高発熱素子をヒートシンクを介して効率良く冷却することができ、ラップトップ型やノート型の電子装置における有効なファンレス冷却を達成することが可能であった。
【０００９】
また、特開平７−３１９５７９号公報には、図８に示すように、装置本体２０１と、キーボードが配置された入力部２０２と、ディスプレイ部２０３とが、それぞれ第一及び第二のヒンジ部を介して連結された携帯形情報処理装置が提案されている。
【００１０】
この携帯形情報処理装置によれば、入力部２０２を操作し易い角度に傾斜させることができるとともに、装置本体２０１を浮かせて底面側に空間を形成することができ、装置本体２０１周囲の空気の流れを良くすることが可能となる。
【００１１】
【発明が解決しようとする課題】
しかし、このような従来の装置では、まず、特開平６−３１８１２４号公報の電子装置では、ヒートシンクを内蔵するとともに、排気口を形成するスペースが必要となるため、携帯型情報処理装置が大型化するとともに、ヒートシンク等によって、他の部品の実装スペースや実装レイアウトの自由度が制限されるという問題があった。
【００１２】
また、この電子装置では、本体部底面は設置される机等に接触したままであったので、本体部底面の温度が上昇し易いという従来の問題を依然として有したままであった。
【００１３】
一方、特開平７−３１９５７９号公報の携帯形情報処理装置では、本体部を設置面から浮かせることができるので、本体部底面の空気の流れはよくなるが、本体部自体からの放熱能力は、従来と変わるところはなく、放熱効果は余り良くならないという問題があった。
【００１４】
本発明は、このような従来の技術が有する問題を解決するために提案されたものであり、特別な冷却手段を設けることなく、また、装置を大型化することなく、携帯型情報処理装置の冷却を効率よく行なうとともに、キーボードを使用者が操作しやすい角度に調整することができる携帯型情報処理装置の冷却構造の提供を目的とする。
【００１５】
【課題を解決するための手段】
上記目的を達成するため本発明の携帯型情報処理装置の冷却構造は、本体部と、該本体部の底面の少なくとも一部に被さる底面部とを有し、前記底面部は、前記本体部の底面に対して開閉可能に取り付けられ、該底面部が開いているとき、前記本体部の内部で発生した熱の少なくとも一部が前記本体部と前記底面部との間に形成された空間を介して放熱されることを特徴とする。
【００１６】
このような構成からなる本発明の携帯型情報処理装置の冷却構造によれば、携帯型情報処理装置の冷却を効率良く行なうことができる。
【００１７】
また、本発明の情報処理装置は、電子部品を内蔵するとともに底面を有する本体部と、この本体部の前記底面側に位置し、第１の位置と前記第１の位置よりも前記本体部の前記底面から離れた第２の位置とに設定可能な底面部とを有し、この底面部を前記第２の位置に設定したときに前記本体部と前記底面部との間に空間が形成され、この空間を介して前記本体部の前記電子部品が発生する熱の少なくとも一部が外部に放出されることを特徴とする。
【００１８】
このような構成からなる本発明の情報処理装置によれば、情報処理装置の本体部内部を効率良く冷却することができる。
【００１９】
【発明の実施の形態】
以下、本発明の携帯型情報処理装置の冷却構造の実施の形態について、図面を参照して説明する。図１は、本実施形態にかかる携帯型情報処理装置の冷却構造を示す外観斜視図である。図２は、図１に示す携帯型情報処理装置の側面断面図である。また、図３は、図１に示す携帯型情報処理装置の背面断面図である。
【００２０】
これらの図に示すように、本実施形態の携帯型情報処理装置は、装置の本体部１と表示部２とがヒンジ部１ａを介して回転可能に取り付けられたノート型，ラップトップ型のパーソナルコンピュータ等の携帯型情報処理装置についての冷却構造である。
【００２１】
本体部１には、キーボード３が取り付けられており、また、図２に示すように、本体部１の内部には、基板７，発熱体８等の主要電子部品が内蔵されている。一方、表示部２には液晶表示装置が取り付けられている。
【００２２】
そして、この本体部１は、底面側に開口するとともに、この本体部１の底面の開口を覆う底面部４を備えている。
【００２３】
底面部４は、一端が本体部１の正面側端部に設けられたヒンジ部５を介して回転可能に取り付けられており、本体部１に内蔵された基板７，発熱体８等と分離して開閉できるようになっている。この底面部４を開閉することにより、本体部１の内部の放熱を行なうことができる。
【００２４】
そして、本実施形態のヒンジ部５は、この底面部４を本体部１に対して回転可能で、かつ、任意の角度で係止できるように取り付けている。これにより、本体部１が底面部４に対して任意の角度で傾斜することが可能となり、本体部１の底面側を開口状態で保持できるとともに、本体部１を使用者の好みの角度に調節，維持できるようになっており、使用者がキー入力等の操作を行ないやすくすることができる。
【００２５】
ここで、このように底面部４を本体部１に対して回転可能で、かつ、任意の角度で係止できるヒンジ部５としては、例えば図４又は図５に示すヒンジ構造がある。
【００２６】
図４に示すヒンジ部１０は、本体部１と底面部４の側面を一体的に貫通するボルト１１と、このボルト１１に底面部４の内側から螺合する、底面部４側に固定されたナット１２と、このボルト１１に本体部１の外側から螺合するノブ１３とを備えている。そして、ノブ１３を緩めることによってヒンジ部１０を回転させることができ、かつ、ノブ１３を締め付けることにより、本体部１と底面部４を任意の角度で固定することができる。
【００２７】
一方、図５に示すヒンジ部２０は、チルトユニットにより構成してある。このチルトユニットは、コイルばねを一体的に備えた支持軸２１が、底面部４にボルト２２を介して突設された壁部２３によって軸支され、支持軸２１のコイルばねと壁部２３の抵抗によってトルクが発生するようになっている。これによって、このヒンジ部は一定に力が加わらない限り支持軸２１が回転せず、底面部４と本体部１は任意の角度で係止することができる。
【００２８】
さらに、底面部４と本体部１を任意の角度に保つ手段としては、図６に示すようなストッパ３０を設けることもできる。このストッパ３０は、本体部１の背面側に脚部３１が配設され、この脚部３１が、回転軸３２を介して本体部１に回転可能に取り付けられ、底面部４側に向かって突出して、底面部４と本体部１の間の距離を保つようになっている。
【００２９】
そして、回転軸３２は、脚部３１と一体的に形成され、チルトユニット３３によって本体部１側に軸支されている。これによって、ストッパ３０の脚部３１は、一定の力が加わらない限り回転軸３２が回転せず、脚部３１の角度が任意に固定されるようになっている。これによって、底面部４と本体部１は、脚部３１を調整することによって、所望の角度に係止させることができる。
【００３０】
なお、図４〜図６に示した手段は、それぞれ単独で用いることもできるが、図６に示したストッパ３０を、図４に示したねじ止め式のヒンジ部１０、又は図５に示したチルトユニット式のヒンジ部２０と併設するようにしてもよい。
【００３１】
一方、本体部１の内部には、ヒートシンク６が配設されている。このヒートシンク６は、図２に示すように、本体部１に内蔵された発熱体８に導熱体９を介して接している。そして、このヒートシンク６は、本体部１が傾斜して底面側が開けられることにより、外部に露出するようになっている。
【００３２】
これによって、底面部５が開口すると、本体部１の底の方に取り付けられているヒートシンク６が外部に露出し、外気に直接触れるようになる。そして、斜めになった本体部１の底面部に上昇気流（図１の矢印）が発生し、ヒートシンク６からの放熱を促進する。
【００３３】
さらに、本実施形態では、底面部４が、背面側に開口部４ａを有している。これにより、本体部１は、ヒンジ部５を介して傾斜させない状態で、この背面側の開口から放熱が行なわれるとともに、本体部１が傾斜した場合には、本体部１からの上昇気流が、より効率的に外部に流れるようになっている。
【００３４】
次に、このような構成からなる本実施形態の携帯型情報処理装置の冷却構造の動作について説明する。まず、携帯型情報処理装置を動作させるときに、本体部１と底面部４を、ヒンジ部５を中心に回転させ、底面部４を開口させる（図２に示す状態）。このとき、ヒンジ部５によって、本体部１と底面部４は、所定の角度をもって保持された状態となる。
【００３５】
この状態で、携帯型情報処理装置を動作させることにより、本体部１の内部の基板７上の発熱体８から発生した熱は、導熱体９を介してヒートシンク６に伝わる。次に、ヒートシンク６に伝わった熱は、ヒートシンク６及びヒートシンク周辺の空気を暖めて上昇気流を発生させる。上昇気流は、斜めに傾いた本体部１のヒートシンク６に沿って上昇し、最後に完全に携帯型情報処理装置から外部に放出される。
【００３６】
このように本実施形態の携帯型情報処理装置の冷却構造によれば、携帯型情報処理装置の底面部４に伝わった熱が本体部１を斜めにすることにより発生する上昇気流によって効率よく放熱され、これによって携帯型情報処理装置の冷却を効率よく行なうことができる。
【００３７】
また、本体部１からの放熱効率がよくなることにより、発熱量の高い高性能な部品を使用することができ、携帯型情報処理装置をより高性能にすることが可能となる。
【００３８】
さらに、本体部１が斜めに傾くことにより、キーボードが適度な角度を持つので、奥のキーも打ちやすくなり、使用者がキー操作を行ないやすくなるという効果も有する。
【００３９】
【発明の効果】
以上説明したように本発明の携帯型情報処理装置の冷却構造によれば、携帯型情報処理装置の冷却を効率よく行なうとともに、キーボードを使用者が操作しやすい角度に調整することができる。
【図面の簡単な説明】
【図１】  本発明の一実施形態にかかる携帯型情報処理装置の冷却構造を示す外観斜視図である。
【図２】  図１に示す携帯型情報処理装置の側面断面図である。
【図３】  図１に示す携帯型情報処理装置の背面断面図である。
【図４】  本発明の携帯型情報処理装置の冷却構造におけるヒンジ部の一実施形態を示す図であり、（ａ）は要部断面正面図であり、（ｂ）は要部側面図である。
【図５】  本発明の携帯型情報処理装置の冷却構造におけるヒンジ部の他の実施形態を示す要部断面正面図である。
【図６】  本発明の携帯型情報処理装置の冷却構造におけるストッパの一実施形態を示す図であり、（ａ）は要部断面側面図であり、（ｂ）は要部断面正面図である。
【図７】  従来の電子装置を示す、（ａ）は全体斜視図、（ｂ）はヒートシンクの拡大斜視図である。
【図８】  従来の携帯型情報処理装置を示す全体斜視図である。
【符号の説明】
１  本体部
２  表示部
３  キーボード
４  底面部
５  ヒンジ部
６  ヒートシンク
７  基板
８  発熱体
９  導熱体
【図１】
0003743259.tif 000002
【図２】
0003743259.tif 000003
【図３】
0003743259.tif 000004
【図４】
0003743259.tif 000005
【図５】
0003743259.tif 000006
【図６】
0003743259.tif 000007
【図７】
0003743259.tif 000008
【図８】
0003743259.tif 000009